(57)【要約】【課題】部品点数を増やさなくても面材の開き角度が比較的容易に調節できて作業性やメンテナンス性を向上させることができるヒンジ装置および建具を提供すること。【解決手段】障子の開放角度を規制する機構をヒンジ本体２１に設け、取付角度を変更可能にヒンジ受け２２を設けるとともに、ヒンジ本体２１のピボット２４とヒンジ受け２２とを回転不能に係合することで、ヒンジ受け２２の取付角度を変更するだけでヒンジ本体２１を障子から取り外したり分解したり等する必要がなく、比較的容易に障子の開放角度を調節することができ、作業性やメンテナンス性を向上させることができる。【選択図】図３
2010222845.tif 000002
【特許請求の範囲】
【請求項１】
支持体に対して面材を開閉自在に支持するヒンジ装置であって、
前記面材側に設けられるヒンジ本体と、前記支持体側に設けられるヒンジ受けとを備え、これらのヒンジ本体およびヒンジ受けのいずれか一方に回転機構が設けられるとともに、この回転機構よりも他方側にて当該ヒンジ本体とヒンジ受けとが互いに回転不能に係合され、
前記ヒンジ受けは、前記回転機構の回転方向に沿った取付角度を調節可能に前記支持体に取り付けられているヒンジ装置。
【請求項２】
前記回転機構は、前記ヒンジ本体またはヒンジ受けに設けられる回転支持部と、この回転支持部に回転自在に支持される回転部材と、当該回転支持部に対する回転部材の回転を所定角度に規制する回転角度規制手段とを有して構成される請求項１に記載のヒンジ装置。
【請求項３】
前記ヒンジ本体および前記ヒンジ受けのうち、一方には他方に向かって突出する突起が形成され、他方には前記突起を受け入れる凹部が形成され、これらの突起および凹部が互いに回転不能に係合されている請求項１または請求項２に記載のヒンジ装置。
【請求項４】
前記ヒンジ本体および前記ヒンジ受けのうちの一方において、前記突起が突没自在に支持されるとともに、前記回転機構には、前記面材が所定の開閉位置にない状態で前記突起を没入不能に規制する没入規制手段が設けられている請求項３に記載のヒンジ装置。
【請求項５】
前記ヒンジ受けは、前記回転機構の回転中心回りに円弧状に形成された長孔を有し、この長孔を介した固着具によって前記支持体に取り付けられている請求項１から請求項４のいずれかに記載のヒンジ装置。
【請求項６】
支持体としての枠体と、この枠体内部に設けられる面材と、この面材を前記枠体に開閉自在に支持する請求項１から請求項５のいずれかに記載のヒンジ装置とを備え、
前記ヒンジ装置は、前記面材側に設けられるヒンジ本体と、前記支持体側に設けられるヒンジ受けとを有して構成されている建具。
【発明の詳細な説明】
【技術分野】
【０００１】
本発明は、面材を開閉自在に支持するヒンジ装置、このヒンジ装置を備えた建具に関する。
【背景技術】
【０００２】
従来、面材であるドア本体を開閉自在に支持するヒンジ装置として、ドア本体の吊り元側上部に設けられるピボットヒンジと、上枠に設けられる受け部材とを有したものが提案されている（例えば、特許文献１参照）。
特許文献１に記載されたピボットヒンジは、ドア本体に固定されるケースと、このケースに上下移動自在に設けられるスライダと、このスライダをケースに対して上方に付勢するコイルばねと、スライダを下方に没入操作する操作部材とを有して構成されている。そして、スライダの上面に設けられた係合孔と受け部材のピボット軸部とを係合させることで、ドア本体がドア枠に開閉自在に支持されるとともに、ピボットヒンジの操作部材を操作してケース内部にスライダを没入させることで、係合孔とピボット軸部との係合が外れてドア枠からドア本体を取り外すことができるように構成されている。
【０００３】
一方、他のヒンジ装置として、上枠および扉に各々設けられる一対のピボット部材を備え、一方のピボット部材に設けられる軸と、他方のピボット部材に設けられる孔部とを係合させることで、扉を開閉自在に支持するものが提案されている（例えば、特許文献２参照）。
特許文献２に記載されたヒンジ装置では、一方のピボット部材における軸の周囲に当たり部が設けられ、他方のピボット部材における孔部の近傍に当たり部が設けられ、これらの当たり部同士が当接することで、扉の最大開き角度が設定できるように構成されている。
【先行技術文献】
【特許文献】
【０００４】
【特許文献１】特開２００６−２１４１６５号公報
【特許文献２】特開２００２−２４２５１３号公報
【発明の概要】
【発明が解決しようとする課題】
【０００５】
ところで、特許文献２に記載されたような従来のヒンジ装置では、扉の最大開き角度が設定できるものの、設定可能な最大開き角度は予め決められており、ドアの設置場所や扉の種別などに応じて最大開き角度を調節することができない。このため、最大開き角度を調節するためには、当たり部を交換したりピボット部材自体を交換したりする必要があり、建具の設置作業性やメンテナンス性が低下してしまうとともに、部品点数も増加してしまうという不都合がある。
【０００６】
本発明の目的は、部品点数を増やさなくても面材の開き角度が比較的容易に調節できて作業性やメンテナンス性を向上させることができるヒンジ装置および建具を提供することにある。
【課題を解決するための手段】
【０００７】
本発明のヒンジ装置は、支持体に対して面材を開閉自在に支持するヒンジ装置であって、前記面材側に設けられるヒンジ本体と、前記支持体側に設けられるヒンジ受けとを備え、これらのヒンジ本体およびヒンジ受けのいずれか一方に回転機構が設けられるとともに、この回転機構よりも他方側にて当該ヒンジ本体とヒンジ受けとが互いに回転不能に係合され、前記ヒンジ受けは、前記回転機構の回転方向に沿った取付角度を調節可能に前記支持体に取り付けられていることを特徴とする。
【０００８】
このような本発明によれば、ヒンジ本体およびヒンジ受けのいずれかに回転機構を設け、これらを互いに回転不能に係合するとともに、支持体に対するヒンジ受けの取付角度を調節可能にしたことで、回転機構とヒンジ受けの角度調節部分とが直列に配置されることから、回転機構において面材の開放角度を規制した場合でも、その回転機構とは別にヒンジ受けの取付部において開放角度の調節が可能になる。従って、回転機構の構造および構成部品の改造や調整、交換をしなくても、ヒンジ受けにおいて開放角度の微調整を行うことができ、比較的容易に調節作業ができて作業性やメンテナンス性を向上させることができる。
【０００９】
この際、本発明のヒンジ装置では、前記回転機構は、前記ヒンジ本体またはヒンジ受けに設けられる回転支持部と、この回転支持部に回転自在に支持される回転部材と、当該回転支持部に対する回転部材の回転を所定角度に規制する回転角度規制手段とを有して構成されることが好ましい。
このような構成によれば、回転機構に回転角度規制手段を設けたことで、面材の開放角度などを回転機構によって規制することができるので、ヒンジ本体とヒンジ受けとの両方に当たり部等を設ける必要がなくなり、回転機構が設けられない側のヒンジ本体またはヒンジ受けの構造を簡単化することができる。そして、回転機構において回転支持部に対する回転部材の回転を規制するように回転角度規制手段を構成することで、一体的に組み立てられる部品（ヒンジ本体またはヒンジ受け）によって面材の開放を所定角度に規制することができ、角度規制の精度を向上させることができる。
【００１０】
すなわち、従来（特許文献２）のヒンジ装置のように、枠側とドア側のピボット部材にそれぞれ設けた当たり部の当接によって扉の最大開き角度を規制する構成では、ドアの建て込み調整などによって当たり部の当接状態が変動し、設定した最大開き角度がずれてしまうことがある。これに対して、本発明のヒンジ装置では、建て込み調整の影響を受けない回転機構に回転角度規制手段が設けられていることで、角度規制の設定のずれが小さくできるとともに、前述のようにヒンジ受けにおいて面材の開放角度の微調整を併せて行うことで、角度規制の精度を向上させることができる。
【００１１】
また、本発明のヒンジ装置では、前記ヒンジ本体および前記ヒンジ受けのうち、一方には他方に向かって突出する突起が形成され、他方には前記突起を受け入れる凹部が形成され、これらの突起および凹部が互いに回転不能に係合されていることが好ましい。
このような構成によれば、突起と凹部とを凹凸嵌合させることで、比較的簡単な構造でヒンジ本体とヒンジ受けとを互いに回転不能に係合させることができる。ここで、突起と凹部とを回転不能に係合させる構成としては、例えば、突起を角柱状に形成して凹部を角孔状に形成したり、突起と凹部とをスプライン状に形成したりなど、適宜な構成が利用可能である。
【００１２】
さらに、本発明のヒンジ装置では、前記ヒンジ本体および前記ヒンジ受けのうちの一方において、前記突起が突没自在に支持されるとともに、前記回転機構には、前記面材が所定の開閉位置にない状態で前記突起を没入不能に規制する没入規制手段が設けられていることが好ましい。
このような構成によれば、突没支持手段によって突起を没入させることで凹部との係合を外して面材を取り外すことができ、突起を没入させた状態で面材を建て込んでから突起を突出させて凹部に係合させることで、面材を開閉自在に支持することができる。そして、面材が所定の開閉位置にない状態では、没入規制手段によって突起を没入不能とすることで、所定の開閉位置にある場合のみ面材の建て込み、取り外しを実施することができる。これにより、例えば、所定の開閉位置として面材の閉鎖位置を設定しておけば、閉鎖位置以外に面材が開放された状態では突起が没入不能に規制され、面材を取り外すことができなくなることから、意図せずに面材が脱落してしまうことが防止できる。
【００１３】
また、本発明のヒンジ装置では、前記ヒンジ受けは、前記回転機構の回転中心回りに円弧状に形成された長孔を有し、この長孔を介した固着具によって前記支持体に取り付けられていることが好ましい。
このような構成によれば、円弧状の長孔を介してヒンジ受けが支持体に取り付けられることで、固着具を緩めてから長孔に沿ってヒンジ受けを回動させるだけで、その取付角度を調節することができる。従って、支持体からヒンジ受けを完全に取り外すことなく取付角度が調節できるので、調節作業が容易にできて作業性やメンテナンス性をさらに向上させることができる。
【００１４】
一方、本発明の建具は、支持体としての枠体と、この枠体内部に設けられる面材と、この面材を前記枠体に開閉自在に支持する前記いずれかのヒンジ装置とを備え、前記ヒンジ装置は、前記面材側に設けられるヒンジ本体と、前記支持体側に設けられるヒンジ受けとを有して構成されていることを特徴とする。
この発明によれば、前記ヒンジ装置と同様の効果を得ることができ、面材の開放角度の調整作業が容易にできて作業性やメンテナンス性を向上させることができる。
【発明の効果】
【００１５】
以上のような本発明のヒンジ装置および建具によれば、ヒンジ装置の構造を改変したり部品を追加、交換したりすることなく、比較的容易な調節作業によって面材の開放角度を微調整することができ、作業性やメンテナンス性を向上させることができる。
【図面の簡単な説明】
【００１６】
【図１】本発明の実施形態に係る建具を示す正面図である。
【図２】前記建具の一部を拡大して示す分解斜視図である。
【図３】前記建具に設けられるヒンジ装置を示す分解斜視図である。
【図４】前記ヒンジ装置のヒンジ本体を示す分解斜視図である。
【図５】前記ヒンジ本体の動作を示す縦断面図である。
【図６】前記ヒンジ本体の動作を示す横断面図である。
【図７】前記ヒンジ装置のヒンジ受けを示す見上げの平面図である。
【発明を実施するための形態】
【００１７】
以下、本発明の一実施形態を図面に基づいて説明する。
図１に示すように、本発明の建具としてのドア１は、例えば、脱衣室と浴室とを仕切る浴室出入り口用の建具であって、上枠２、下枠３および左右の縦枠４を枠組みした枠体（支持体）としての建具枠５と、この建具枠５に支持されて浴室側に開閉可能に設けられる障子１０とを備えて構成されている。障子１０は、上框１１、下框１２および左右の縦框１３と、これらを四周框組みした内部に支持される樹脂パネル１４とを有して構成されている。この障子１０は、一方側（図１の右側）であり吊り元側の縦框１３Ａの上下端部がそれぞれ上枠２および下枠３に回転可能に支持され、他方側（図１の左側）である戸先側が浴室に向かって開放可能に構成されている。そして、吊り元側の縦框１３Ａの上端部は、ヒンジ装置２０によって上枠２に支持され、縦框１３Ａの下端部は、図示しない通常のヒンジによって下枠３に支持されている。
【００１８】
ヒンジ装置２０は、図２に示すように、障子１０の縦框１３Ａに設けられるヒンジ本体２１と、上枠２の浴室側底面部に設けられるヒンジ受け２２とを備えて構成されている。ヒンジ本体２１は、図３および図４にも示すように、縦框１３Ａに固定される回転支持部としてのヒンジケース２３と、このヒンジケース２３に回転自在に支持される回転部材としてのピボット２４と、このピボット２４をヒンジケース２３に対して突出する方向（上方）に付勢する付勢手段としてのコイルばね２５とを有して構成されている。そして、ヒンジケース２３およびピボット２４によって回転機構が構成されるとともに、ピボット２４の上端部に突設された突起２４１がヒンジ受け２２の凹部２２１に回転不能に係合されるようになっている。具体的には、角柱状に形成された突起２４１と角孔状に形成された凹部２２１とが互いに凹凸嵌合することで、ピボット２４がヒンジ受け２２に対して回転不能に係合され、ピボット２４がヒンジケース２３に対して回転可能に支持されることで、障子１０が開閉可能に構成されている。
【００１９】
ヒンジケース２３は、図５にも示すように、全体略筒状で縦框１３Ａに挿入されるケース本体２３１と、このケース本体２３１から側方に延びて上框１１に固定される固定片部２３２とを有し、樹脂製の一体成形部品として形成されている。ケース本体２３１には、ピボット２４を回転可能に支持する円筒内周面２３３が設けられ、ケース本体２３１の側面には、ピボット２４を没入操作するための操作孔２３４が円筒内周面２３３に到達して形成されている。また、操作孔２３４に対応した縦框１３Ａの脱衣室側側面には、図５に示すように、貫通孔１３１が形成されている。さらに、ケース本体２３１の底面には、ピボット２４の係止突起２４５を係止する係止孔２３５が形成されている。また、円筒内周面２３３の一部には、ピボット２４の当接部２４７に当接することでピボット２４の回転角度を規制する回転角度規制手段としての規制突起２３６が設けられている。
【００２０】
ピボット２４は、略円柱状でヒンジケース２３の円筒内周面２３３に挿入されるピボット本体２４２と、このピボット本体２４２から突出する前記突起２４１と、ピボット本体２４２の下方に設けられる略円盤状のピボット操作部２４３と、このピボット操作部２４３から下方に突出してコイルばね２５を挿通させるピボット軸部２４４とを有し、樹脂製の一体成形部品として形成されている。ピボット軸部２４４の先端には、一対の係止突起２４５が形成され、これらの係止突起２４５をヒンジケース２３の係止孔２３５に係止させることで、ピボット２４がヒンジケース２３に組み込まれるようになっている。ピボット本体２４２には、その外周面よりも内方に後退してヒンジケース２３の規制突起２３６を通過させる後退部２４６と、この後退部２４６の周方向端部にて規制突起２３６と当接可能な当接部２４７とが設けられている。さらに、ピボット本体２４２には、後退部２４６に連続して上方に延びて規制突起２３６を上下に通過させる上下後退部２４８が形成され、上下後退部２４８が形成されない位置の後退部２４６には、規制突起２３６に当接可能な没入規制手段としての段部２４９が形成されている。
【００２１】
以上のヒンジ本体２１では、図４および図５に示すように、ヒンジケース２３の円筒内周面２３３に沿ってピボット２４のピボット本体２４２が回転自在に支持され、これらのヒンジケース２３とピボット２４とが互いに所定角度だけ相対回転した状態において、規制突起２３６に当接部２４７が当接することで相対回転角度が規制されるようになっている。すなわち、突起２４１と凹部２２１との凹凸嵌合によってピボット２４がヒンジ受け２２に対して回転不能に係合されていることから、ピボット２４は、建具枠５に対して回転せず、ヒンジケース２３および障子１０が所定の開放位置まで開放された際に、規制突起２３６と当接部２４７とが当接し、これによって障子１０の開放角度が規制されるようになっている。このようにヒンジ本体２１によって規制する障子１０の開放角度としては、例えば９０°等に設定されており、この設定角度に応じて規制突起２３６および当接部２４７が形成されていればよい。
【００２２】
また、ピボット２４の上下後退部２４８は、障子１０を閉じた状態（所定の開閉位置であり、開放角度が０°の状態）において、ヒンジケース２３の規制突起２３６と対向する位置に形成されており、この状態において、コイルばね２５の付勢力に抗してピボット２４を押し下げることで、図５(Ａ)に示すように、規制突起２３６が上下後退部２４８を通過し、ピボット２４がヒンジケース２３内部側（下方）に没入可能になっている。具体的には、縦框１３Ａの貫通孔１３１からヒンジケース２３の操作孔２３４に工具を差し込み、この工具でピボット操作部２４３を引っ掛けて押し下げることで、ピボット２４がヒンジケース２３内部に没入操作されるようになっている。このピボット２４の没入により突起２４１も下降することから、ヒンジ受け２２の凹部２２１から突起２４１が外れ、ヒンジ受け２２からヒンジ本体２１および障子１０が取り外し可能に構成されている。
【００２３】
一方、障子１０が開いた状態では、規制突起２３６が上下後退部２４８から外れて段部２４９の下側に位置することから、ピボット２４を押し下げようとしても規制突起２３６と段部２４９とが当接し、ピボット２４の没入が規制され、ヒンジ受け２２からヒンジ本体２１および障子１０が取り外せないようになっている。このように障子１０の開放角度が０°以外の状態においては、規制突起２３６と段部２４９との当接によってピボット２４が没入できず、障子１０を閉じた状態においてのみ、障子１０の取り外しや建て込みが実施できることで、通常使用時に意図せずに障子１０が脱落してしまうことが防止できるようになっている。また、障子１０を建具枠５に建て込む際には、ピボット２４の上下後退部２４８をヒンジケース２３の規制突起２３６と対向する位置に合わせ、その状態でピボット２４をヒンジケース２３内部に没入させてから、開放角度が０°となる位置で障子１０を建て込むことで、前述したヒンジ本体２１における規制突起２３６および当接部２４７による回転角度規制の設定を適正に反映させることができるようになっている。
【００２４】
ヒンジ受け２２は、図２、３および図７に示すように、上枠２の浴室側底面部に設けられる溝部２Ａに挿通される裏板２２２に対し、固着具としての２本のビス２２３を螺合することで上枠２に固定されている。ヒンジ受け２２には、２本のビス２２３をそれぞれ挿通させる左右一対の長孔２２４と、ヒンジ受け２２の上面から突出して溝部２Ａに挿通される当接突起２２５とが形成されている。そして、これら一対の長孔２２４は、それぞれピボット２４の回転中心であり突起２４１および凹部２２１の中心Ｏの回りに円弧状に形成されている。このようなヒンジ受け２２は、２本のビス２２３を緩め、そのビス２２３に沿って長孔２２４を移動させることで、中心Ｏ回りに回動可能に構成されている。従って、ヒンジ受け２２を回動させて上枠２に対する取付角度を変更することで、凹部２２１の角度すなわちピボット２４の突起２４１との係合角度が調節できるようになっている。ここで、図７(Ａ)に示す状態を０°とすると、図７(Ｂ)では、反時計回りに例えば５°（−５°）だけ取付角度が変更され、図７(Ｃ)では、時計回りに例えば５°（＋５°）だけ取付角度が変更されるようになっている。このようにヒンジ受け２２の取付角度を変更する際に、当接突起２２５が溝部２Ａの端縁に当接することで、凹部２２１の中心Ｏ位置が所定の回動中心からずれることなく取付角度調節ができるようになっている。
【００２５】
このようにヒンジ受け２２の取付角度を変更することで、前述したヒンジ本体２１における規制突起２３６と当接部２４７との当接による障子１０の開放角度を９０°に設定した場合においては、８５°から９５°の範囲で障子１０の開放角度が調節できるようになる。このように、ヒンジ受け２２の取付角度を調節可能にし、ヒンジ本体２１における開放角度設定機構（回転角度規制手段）とは独立かつ直列してヒンジ受け２２が設けられているので、ヒンジ本体２１を障子１０から取り外したり、分解したり、その部品を改造、交換したり、ヒンジ本体２１の規制突起２３６や当接部２４７を調節したりする必要がなく、比較的容易に障子１０の開放角度を調節することができる。また、前述したように建具枠５から障子１０を取り外した状態で、２本のビス２２３を緩めるだけでヒンジ受け２２の取付角度が調節できるので、調節作業が容易にできて作業性やメンテナンス性を向上させることができる。
【００２６】
なお、本発明は前記実施形態の構成に限定されるものではない。
例えば、前記実施形態では、浴室出入り口用の建具としてのドア１を例示して説明したが、本発明の建具は、浴室出入り口用の建具に限らず、建物の窓や出入り口に用いられるものであってもよいし、家具等の扉に用いられるものであってもよい。また、前記実施形態では、支持体として建具枠５（枠体）を例示し、面材として障子１０を例示したが、支持体は、建具枠５に限らず、建物躯体や内装材など任意の部位であってもよく、面材は、障子１０に限らず、木製や金属製、樹脂製のパネル体、あるいは複数材料を複合して構成されたパネル体であってもよい。
【００２７】
また、前記実施形態では、障子１０の縦框１３Ａ上端部にヒンジ本体２１が設けられ、建具枠５の上枠２にヒンジ受け２２が設けられていたが、これに限らず、ヒンジ本体２１が縦框１３Ａ下端部に設けられ、ヒンジ受け２２が下枠３に設けられていてもよく、ヒンジ本体２１が上框１１や下框１２に設けられていてもよい。さらには、ヒンジ本体２１が障子１０（面材）ではなく支持体としての建具枠５に設けられ、ヒンジ受け２２が建具枠５ではなく面材としての障子１０に設けられていてもよい。
また、前記実施形態では、ヒンジ本体２１のヒンジケース２３およびピボット２４によって回転機構を構成したが、この回転機構がヒンジ受け２２に設けられていてもよい。
さらに、前記実施形態では、ピボット２４に設けた突起２４１とヒンジ受け２２に設けた凹部２２１とが互いに回転不能に係合する構成を説明したが、ヒンジ受け２２に突起を設け、ピボット２４に凹部を設けてもよい。
【００２８】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００２９】
１…ドア（建具）、５…建具枠（枠体、支持体）、１０…障子、２０…ヒンジ装置、２１…ヒンジ本体、２２…ヒンジ受け、２３…ヒンジケース（回転支持部）、２４…ピボット（回転部材）、２２１…凹部、２２３…ビス（固着具）、２２４…長孔、２３６…規制突起（回転角度規制手段）、２４１…突起、２４９…段部（没入規制手段）。
【図１】
2010222845.tif 000003
【図２】
2010222845.tif 000004
【図３】
2010222845.tif 000005
【図４】
2010222845.tif 000006
【図５】
2010222845.tif 000007
【図６】
2010222845.tif 000008
【図７】
2010222845.tif 000009